(57)【要約】【課題】より容易に蓄電素子を接続することの可能な蓄電装置を提供する。【解決手段】蓄電装置１０は、第１蓄電素子２１０及び第２蓄電素子２２０により構成される組電池２０を複数備える。複数の組電池はＹ軸方向に並べて配置されている。隣接組電池２０ｂの第１電極端子２２１と所定の組電池２０の第２電極端子２１２との接合部Ｐ２は、Ｙ軸方向に直交するＸ軸方向にずれて配置されている。【選択図】図１
2019192342.tif 000002
【特許請求の範囲】
【請求項１】
電極の異なる一対の第１電極端子及び第２電極端子をそれぞれ有する複数の蓄電素子により構成される組電池を複数備え、
複数の前記組電池は所定方向に並べて配置され、
複数の組電池のうちの一つの組電池を所定の組電池とし、前記所定の組電池と前記所定方向において隣り合う組電池を隣接組電池とするとき、
前記隣接組電池の前記蓄電素子の前記第１電極端子と前記所定の組電池の前記蓄電素子の前記第２電極端子との接合部は、前記所定方向に直交する方向にずれて配置されている
蓄電装置。
【請求項２】
前記接合部を有し、前記隣接組電池の前記蓄電素子の前記第１電極端子と前記所定の組電池の前記蓄電素子の前記第２電極端子とを電気的に接続させることにより前記隣接組電池と前記所定の組電池とを連結させる連結部材を更に備える
請求項１に記載の蓄電装置。
【請求項３】
前記連結部材は、前記隣接組電池の前記蓄電素子の前記第１電極端子と前記所定の組電池の前記蓄電素子の前記第２電極端子との間に隙間を形成するように配置されている
請求項２に記載の蓄電装置。
【請求項４】
前記連結部材は、前記隣接組電池の前記蓄電素子の前記第１電極端子、及び前記所定の組電池の前記蓄電素子の前記第２電極端子に接合されている
請求項２又は３に記載の蓄電装置。
【請求項５】
前記所定の組電池において隣り合う２つの蓄電素子を第１蓄電素子及び第２蓄電素子とするとき、
前記第１蓄電素子の前記第１電極端子及び前記第２電極端子のいずれか一方と、前記第２蓄電素子の前記第１電極端子及び前記第２電極端子のいずれか一方とを電気的に接続させる接続部材を更に備える
請求項２〜４のいずれか一項に記載の蓄電装置。
【請求項６】
前記接続部材は、前記第１蓄電素子の前記第１電極端子及び前記第２電極端子のいずれか一方と、前記第２蓄電素子の前記第１電極端子及び前記第２電極端子のいずれか一方とに接合されている
請求項５に記載の蓄電装置。
【請求項７】
前記接続部材は、前記第１蓄電素子の前記第１電極端子及び前記第２電極端子のいずれか一方と、前記第２蓄電素子の前記第１電極端子及び前記第２電極端子のいずれか一方との間に隙間を形成するように配置されている
請求項５又は６に記載の蓄電装置。
【請求項８】
前記連結部材及び前記接続部材は、前記組電池の同一の側面に配置されている
請求項５〜７のいずれか一項に記載の蓄電装置。
【請求項９】
前記連結部材及び前記接続部材は、前記組電池の異なる側面にそれぞれ配置されている
請求項５〜７のいずれか一項に記載の蓄電装置。
【発明の詳細な説明】
【技術分野】
【０００１】
本開示は、蓄電装置に関する。
【背景技術】
【０００２】
従来、下記の特許文献１に記載の蓄電装置がある。特許文献１に記載の蓄電装置は、複数のラミネート型の蓄電素子が直列接続されている。蓄電素子の容器には、２枚の同一形状のラミネートフィルムが使用されている。ラミネートフィルムの略中央部には、断面直角形状の窪みが形成されている。２枚のラミネートフィルムは、それぞれの窪みの形成された部分が互いに逆方向に向かい合っている。２枚のラミネートフィルムのそれぞれの窪みにより、電極群を収容する収容部が形成されている。蓄電素子の正極端子及び負極端子のいずれか一方が収容部の一辺から導出されており、いずれか他方が対向する辺から導出されている。隣り合う蓄電素子の接合すべき端子同士が接合部で直接接合されている。
【先行技術文献】
【特許文献】
【０００３】
【特許文献１】特開２００８−２４３４１０号公報
【発明の概要】
【発明が解決しようとする課題】
【０００４】
ところで、特許文献１に記載の蓄電装置のように蓄電素子の形状を変更した場合、窪みのない蓄電素子を製造する場合と比較すると、蓄電素子の製造工程が複雑化するため、製造コストが増加する懸念がある。
本開示は、こうした実情に鑑みてなされたものであり、その目的は、より容易に蓄電素子を接続することの可能な蓄電装置を提供することにある。
【課題を解決するための手段】
【０００５】
上記課題を解決する蓄電装置は、電極の異なる一対の第１電極端子及び第２電極端子をそれぞれ有する複数の蓄電素子により構成される組電池を複数備える。複数の組電池は所定方向に並べて配置されている。複数の組電池のうちの一つの組電池を所定の組電池とし、所定の組電池と所定方向において隣り合う組電池を隣接組電池とするとき、隣接組電池の蓄電素子の第１電極端子と所定の組電池の蓄電素子の第２電極端子との接合部は、所定方向に直交する方向にずれて配置されている。
【０００６】
この構成によれば、組電池のそれぞれの接合部が、所定方向に直交する方向にずれて配置されているため、任意の接合部を接合する際に他の接合部が妨げになり難くなる。そのため、複数の組電池を容易に接合させることができる。そして、このような構成によれば、蓄電素子そのものの形状を変更する必要がないため、蓄電素子の形状の変更が必要な従来の蓄電装置と比較すると、より容易に蓄電素子を接続することが可能となる。
【０００７】
上記の蓄電装置において、接合部を有し、隣接組電池の蓄電素子の第１電極端子と所定の組電池の蓄電素子の第２電極端子とを電気的に接続させることにより隣接組電池と所定の組電池とを連結させる連結部材を更に備えることが好ましい。
この構成によれば、より容易に所定の組電池と隣接組電池とを電気的に直列に接続することが可能となる。
【０００８】
上記の蓄電装置において、連結部材は、隣接組電池の蓄電素子の第１電極端子と所定の組電池の蓄電素子の第２電極端子との間に隙間を形成するように配置されていることが好ましい。
この構成によれば、複数の組電池の第１蓄電素子の第１電極端子と第２蓄電素子の第２電極端子との間に隙間を形成することができるため、それらの電極端子を変形させることなく電気的に接続することができる。よって、より容易に所定の組電池と隣接組電池とを接続することが可能となる。
【０００９】
上記の蓄電装置において、連結部材は、隣接組電池の蓄電素子の第１電極端子、及び所定の組電池の蓄電素子の第２電極端子により接合されていることが好ましい。
この構成によれば、蓄電装置の製造の際に、所定の組電池と隣接組電池とを容易に接続させることができる。
【００１０】
上記の蓄電装置において、所定の組電池において隣り合う２つの蓄電素子を第１蓄電素子及び第２蓄電素子とするとき、第１蓄電素子の第１電極端子及び第２電極端子のいずれか一方と、第２蓄電素子の第１電極端子及び第２電極端子のいずれか一方とを電気的に接続させる接続部材を更に備えることが好ましい。
この構成によれば、より容易に組電池の第１蓄電素子と第２蓄電素子とを電気的に直列又は並列に接続することができる。
【００１１】
上記の蓄電装置において、接続部材は、第１蓄電素子の第１電極端子及び第２電極端子のいずれか一方と、第２蓄電素子の第１電極端子及び第２電極端子のいずれか一方とに接合されていることが好ましい。
この構成によれば、蓄電装置の製造の際に、組電池の第１蓄電素子と第２蓄電素子とを容易に接合させることができる。
【００１２】
上記の蓄電装置において、接続部材は、第１蓄電素子の第１電極端子及び第２電極端子のいずれか一方と、第２蓄電素子の第１電極端子及び第２電極端子のいずれか一方との間に隙間を形成するように配置されていることが好ましい。
この構成によれば、所定の組電池の第１電極端子と第２電極端子との間に隙間を形成することができるため、蓄電素子の電極端子を変形させることなく、第１蓄電素子と第２蓄電素子とを積層配置することができる。よって、より容易に蓄電素子を直列に接続することが可能となる。
【００１３】
上記の蓄電装置において、連結部材及び接続部材は、組電池の同一の側面に配置されていることが好ましい。
この構成は、第１電極端子及び第２電極端子を同一の側面に有する複数の蓄電素子を直列に接続する際に有効である。
【００１４】
上記の蓄電装置において、連結部材及び接続部材は、組電池の異なる側面にそれぞれ配置されていることが好ましい。
この構成は、第１電極端子及び第２電極端子を異なる側面に有する複数の蓄電素子を直列に接続する際に有効である。
【発明の効果】
【００１５】
本開示によれば、より容易に蓄電素子を接続することの可能な蓄電装置を提供できる。
【図面の簡単な説明】
【００１６】
【図１】図１は、第１実施形態の蓄電装置の斜視構造を示す斜視図である。
【図２】図２は、第１実施形態の蓄電装置の平面構造を示す平面図である。
【図３】図３は、第１実施形態の組電池の斜視構造を示す斜視図である。
【図４】図４は、第１実施形態の組電池及び接続部材の斜視構造を示す斜視図である。
【図５】図５は、第１実施形態の連結部材の斜視構造を示す斜視図である。
【図６】図６は、第１実施形態の蓄電装置の製造工程の一部を示す平面図である。
【図７】図７は、第１実施形態の蓄電装置の製造工程の一部を示す平面図である。
【図８】図８は、第１実施形態の蓄電装置の製造工程の一部を示す平面図である。
【図９】図９は、第１実施形態の第１変形例の組電池及び接続部材の斜視構造を示す斜視図である。
【図１０】図１０は、第１実施形態の第２変形例の蓄電装置の斜視構造を示す斜視図である。
【図１１】図１１は、第１実施形態の第２変形例の蓄電装置の平面構造を示す平面図である。
【図１２】図１２は、第１実施形態の第２変形例の組電池及び接続部材の斜視構造を示す斜視図である。
【図１３】図１３は、第２実施形態の蓄電装置の斜視構造を示す斜視図である。
【図１４】図１４は、第２実施形態の蓄電装置の平面構造を示す平面図である。
【図１５】図１５は、第２実施形態の連結部材の斜視構造を示す斜視図である。
【発明を実施するための形態】
【００１７】
以下、蓄電装置の一実施形態について図面を参照しながら説明する。説明の理解を容易にするため、各図面において同一の構成要素に対しては可能な限り同一の符号を付して、重複する説明は省略する。
＜第１実施形態＞
図１及び図２に示されるように、本実施形態の蓄電装置１０は、複数の組電池２０と、これらを直列に接続する接続部品３０とを備えている。
【００１８】
組電池２０は、同一形状からなる第１蓄電素子２１０及び第２蓄電素子２２０により構成されている。図３に示されるように、蓄電素子２１０，２２０は、正極と負極とをセパレータを介して交互に重ねたものをラミネートにより封止した、いわゆるラミネート型の蓄電池である。蓄電素子としては、例えばラミネート型のリチウムイオン電池を用いることができる。蓄電素子２１０，２２０は、略直方体状に形成されている。
【００１９】
なお、以下では、蓄電素子２１０，２２０の長手方向を「Ｚ軸方向」と称し、蓄電素子２１０，２２０の短手方向を「Ｘ軸方向」と称し、蓄電素子２１０，２２０の板厚方向を「Ｙ軸方向」と称する。本実施形態の蓄電装置１０では、Ｙ軸方向が所定方向に相当する。Ｘ軸方向、Ｙ軸方向、及びＺ軸方向は互いに直交している。
【００２０】
第１蓄電素子２１０の上面には、電極の異なる第１電極端子２１１と第２電極端子２１２とが設けられている。第１電極端子２１１は、正極端子及び負極端子のいずれか一方であり、第２電極端子２１２は、正極端子及び負極端子のいずれか他方である。同様に、第２蓄電素子２２０の上面にも、電極の異なる第１電極端子２２１と第２電極端子２２２とが設けられている。なお、本実施形態の蓄電装置１０では、第１蓄電素子２１０の第１電極端子２１１と第２蓄電素子２２０の第１電極端子２２１とが同一電極である。また、第１蓄電素子２１０の第２電極端子２１２と第２蓄電素子２２０の第２電極端子２２２とが同一電極である。第１蓄電素子２１０及び第２蓄電素子２２０は、電極の異なるもの同士が対向するようにＹ軸方向に並べて配置されている。具体的には、組電池２０では、第１蓄電素子２１０の第１電極端子２１１と第２蓄電素子２２０の第２電極端子２２２とが対向し、且つ第１蓄電素子２１０の第２電極端子２１２と第２蓄電素子２２０の第１電極端子２２１とが対向するように第１蓄電素子２１０及び第２蓄電素子２２０が配置されている。
【００２１】
図１及び図２に示されるように、蓄電装置１０では、このような構造からなる複数の組電池２０がＹ軸方向に積層して配置されている。
接続部品３０は、複数の蓄電素子２１０，２２０を電気的に直列に接続するための部品である。接続部品３０は、接続部材３１と、連結部材３２とにより構成されている。
【００２２】
図４に示されるように、接続部材３１は、一つの組電池２０において第１蓄電素子２１０と第２蓄電素子２２０とを直列に接続するための部材である。接続部材３１は、導電性の金属材料等により略直方体状に形成された部材からなる。接続部材３１は、第１蓄電素子２１０の第１電極端子２１１に接合される第１接続片３１１と、第２蓄電素子２２０の第２電極端子２２２に接合される第２接続片３１２とにより構成されている。第１蓄電素子２１０の第１電極端子２１１と第１接続片３１１とを接合する方法、及び第２蓄電素子２２０の第２電極端子２２２と第２接続片３１２とを接合する方法としては、例えば超音波接合を用いることができる。第１接続片３１１及び第２接続片３１２が超音波接合等により接合されることにより、第１蓄電素子２１０と第２蓄電素子２２０とが電気的に直列に接続されている。
【００２３】
図２に示されるように、本実施形態の蓄電装置１０では、第１接続片３１１と第２接続片３１２との接合部分が、第１蓄電素子２１０の第１電極端子２１１と第２蓄電素子２２０の第２電極端子２２２との接合部分である第１接合部Ｐ１に相当する。複数の組電池２０のそれぞれの第１接合部Ｐ１は、Ｙ軸方向に平行な同一直線ｍ１上に配置されている。
【００２４】
図１及び図２に示されるように、連結部材３２は、複数の組電池２０を電気的に直列に接続するための部材である。連結部材３２も、接続部材３１と同様に、導電性の金属材料等により形成されている。連結部材３２は、所定の組電池２０の第１蓄電素子２１０の第２電極端子２１２に接合される第１連結片３２１と、所定の組電池２０と隣り合う隣接組電池２０ｂの第２蓄電素子２２０の第１電極端子２２１に接合される第２連結片３２２とにより構成されている。
【００２５】
図５に示されるように、第１連結片３２１は、Ｌ字状の板材からなる。図１に示されるように、第１連結片３２１は、第１蓄電素子２１０の第２電極端子２１２に接合された部分から上方に延びる部分と、当該部分から第１蓄電素子２１０の第１電極端子２１１に向かってＸ軸方向に平行に延びる部分とを有している。第１連結片３２１の上面には、略立方体状の接合部３２１ｂが一体的に形成されている。
【００２６】
図５に示されるように、第２連結片３２２も、第１連結片３２１と同様に、Ｌ字状の板材からなる。図１に示されるように、第２連結片３２２は、第２蓄電素子２２０の第１電極端子２２１に接合された部分から上方に延びる部分と、当該部分から第２蓄電素子２２０の第２電極端子２２２に向かってＸ軸方向に平行に延びる部分とを有している。第２連結片３２２の上面には、略立方体状の接合部３２２ｂが一体的に形成されている。
【００２７】
なお、図２に示されるように、複数の連結部材３２のそれぞれの接合部３２１ｂ，３２２ｂの位置はＸ軸方向にずれている。
図１及び図２に示されるように、連結部材３２では、第１連結片３２１の接合部３２１ｂと第２連結片３２２の接合部３２２ｂとがスポット溶接により接合されている。これにより、所定の組電池２０の第１蓄電素子２１０の第２電極端子２１２と隣接組電池２０ｂの第２蓄電素子２２０の第１電極端子２２１とが接続されている。蓄電装置１０では、このような連結部材３２が複数設けられることにより、複数の組電池２０が電気的に直列に接続されている。
【００２８】
図２に示されるように、本実施形態では、第１連結片３２１の接合部３２１ｂと第２連結片３２２の接合部３２２ｂとの接合部分が、所定の組電池２０の第１蓄電素子２１０の第２電極端子２１２と隣接組電池２０ｂの第２蓄電素子２２０の第１電極端子２２１との接合部分である第２接合部Ｐ２に相当する。複数の組電池２０のそれぞれの第２接合部Ｐ２はＸ軸方向にずれて配置されている。
【００２９】
次に、本実施形態の蓄電装置１０の製造方法について説明する。
蓄電装置１０の製造の際には、まず、図６に示されるように、第１蓄電素子２１０の第２電極端子２１２に第１連結片３２１が治具４０，４１を用いて接合される。同様に、第２蓄電素子２２０の第１電極端子２２１に第２連結片３２２が治具４２，４３を用いて接合される。第１蓄電素子２１０の第２電極端子２１２と第１連結片３２１とを接合する方法、及び第２蓄電素子２２０の第１電極端子２２１と第２連結片３２２とを接合する方法としては、例えば超音波接合を用いることができる。同様に、第１蓄電素子２１０の第１電極端子２１１に第１接続片３１１が超音波接合等により接合されるとともに、第２蓄電素子２２０の第２電極端子２２２に第２接続片３１２が超音波接合等により接合される。
【００３０】
その後、図７に示されるように、第１電極端子２１１と第２電極端子２２２とが対向するように第１蓄電素子２１０及び第２蓄電素子２２０が配置される。そして、第１接続片３１１及び第２接続片３１２が治具５０，５１を用いて超音波接合等により接合される。これにより、一つの組電池２０の製造が完了する。同様の工程が複数回行われることにより、複数の組電池２０が製造される。
【００３１】
続いて、図８に示されるように、各組電池２０の連結部材３２の接合部３２１ｂ及び接合部３２２ｂが治具６０〜６３を用いてスポット溶接により接合される。この際、複数の第２接合部Ｐ２がＸ軸方向にずれて配置されているため、結果的にスポット溶接の位置をＸ軸方向にずらすことができる。これにより、連結部材３２と治具６０〜６３とが干渉することなくスポット溶接を行うことが可能となっている。各組電池２０の連結部材３２の接合部３２１ｂ及び接合部３２２ｂが治具６０〜６３を用いてスポット溶接により接合されることで、図１及び図２に示される蓄電装置１０の製造が完了する。
【００３２】
以上説明した本実施形態の蓄電装置１０によれば、以下の（１）〜（８）に示される作用及び効果を得ることができる。
（１）複数の第２接合部Ｐ２がＸ軸方向にずれて位置しているため、任意の第２接合部Ｐ２を接合する際に他の第２接合部Ｐ２が妨げになり難くなる。そのため、複数の組電池２０を容易に接合させることができる。そして、図１及び図２に示されるような蓄電装置１０の構造であれば、蓄電素子２１０，２２０そのものの形状を変更する必要がないため、蓄電素子の形状の変更が必要な従来の蓄電装置と比較すると、より容易に蓄電素子を直列に接続することができる。また、組電池２０の個数を適宜変更することにより、目的の端子間電圧及び電池容量を容易に実現することが可能である。
【００３３】
（２）蓄電装置１０は、所定の組電池２０の第１蓄電素子２１０の第２電極端子２１２と、所定の組電池２０と隣り合う隣接組電池２０ｂの第２蓄電素子２２０の第１電極端子２２１とを電気的に接続させることにより所定の組電池２０と隣接組電池２０ｂとを連結させる連結部材３２を備える。このような連結部材３２を用いることにより、より容易に所定の組電池２０と隣接組電池２０ｂとを電気的に直列に接続することができる。
【００３４】
（３）連結部材３２は、所定の組電池２０の第１蓄電素子２１０の第２電極端子２１２と、隣接組電池２０ｂの第２蓄電素子２２０の第１電極端子２２１との間に隙間を形成するように配置されている。すなわち、連結部材３２は、それらの電極端子２１２，２２１間に隙間を形成するスペーサとしての機能を有している。これにより、第１蓄電素子２１０の第２電極端子２１２及び第２蓄電素子２２０の第１電極端子２２１を折り曲げ等により変形させることなく電気的に接続することができる。よって、より容易に所定の組電池２０と隣接組電池２０ｂとを接続させることができる。
【００３５】
（４）連結部材３２は、所定の組電池２０の第１蓄電素子２１０の第２電極端子２１２、及び隣接組電池２０ｂの第２蓄電素子２２０の第１電極端子２２１に接合されている。これにより、蓄電装置１０の製造の際に、所定の組電池２０と隣接組電池２０ｂとを容易に接続させることができる。
【００３６】
（５）蓄電装置１０は、組電池２０における第１蓄電素子２１０の第１電極端子２１１と第２蓄電素子２２０の第２電極端子２２２とを接合させることによりそれらを電気的に接続させる接続部材３１を更に備える。このような接続部材３１を用いることにより、より容易に一つの組電池２０の第１蓄電素子２１０と第２蓄電素子２２０とを電気的に直列に接続することができる。
【００３７】
（６）接続部材３１は、組電池２０における第１蓄電素子２１０の第１電極端子２１１、及び第２蓄電素子２２０の第２電極端子２２２に接合されている。これにより、蓄電装置１０の製造の際に、一つの組電池の第１蓄電素子２１０と第２蓄電素子２２０とを容易に接合させることができる。
【００３８】
（７）接続部材３１は、組電池２０における第１蓄電素子２１０の第１電極端子２１１と第２蓄電素子２２０の第２電極端子２２２との間に隙間を形成するように配置されている。すなわち、接続部材３１は、それらの電極端子２１１，２２２の間に隙間を形成するスペーサとしての機能を有している。これにより、第１蓄電素子２１０の第１電極端子２１１及び第２蓄電素子２２０の第２電極端子２２２を折り曲げ等により変形させることなく電気的に接続することができる。よって、より容易に第１蓄電素子２１０及び第２蓄電素子２２０を直列に接続することができる。
【００３９】
（８）連結部材３２及び接続部材３１は、組電池２０の同一の側面に配置されている。換言すれば、第１接合部Ｐ１及び第２接合部Ｐ２は、組電池２０の同一の側面に配置されている。このような構成は、図３に示されるように第１電極端子２１１，２２１及び第２電極端子２１２，２２２を同一の側面に有する複数の蓄電素子２１０，２２０を直列に接続する際に有効である。
【００４０】
（第１変形例）
次に、第１実施形態の蓄電装置１０の第１変形例について説明する。
図９に示されるように、本変形例の蓄電装置１０では、接続部材３１が一部材により構成されている。このような構成によれば、第１蓄電素子２１０の第１電極端子２１１と第２蓄電素子２２０の第２電極端子２２２との間に接続部材３１を挟み込んだ後、それらを超音波接合等により接合させれば、第１蓄電素子２１０と第２蓄電素子２２０とを接続することができる。これにより、第１実施形態の蓄電装置１０を製造する際に必要な第１蓄電素子２１０の第１電極端子２１１と第１接続片３１１とを接合させる工程、及び第２蓄電素子２２０の第２電極端子２２２と第２接続片３１２とを接合させる工程が不要となるため、製造工数を少なくすることができる。
【００４１】
（第２変形例）
次に、第１実施形態の蓄電装置１０の第２変形例について説明する。
図１０及び図１１に示されるように、本変形例の蓄電装置１０では、組電池２０構成する第１蓄電素子２１０の第１電極端子２１１と第２蓄電素子２２０の第１電極端子２２１とが接続部材３３の第１接続片３３１及び第２接続片３３２を介して接続されている。また、第１蓄電素子２１０の第２電極端子２１２と第２蓄電素子２２０の第２電極端子２２２とが接続部材３４の第１接続片３４１及び第２接続片３４２を介して接続されている。すなわち、組電池２０は、第１蓄電素子２１０と第２蓄電素子２２０とが電気的に並列に接続された構造を有している。
【００４２】
組電池２０の第２電極端子２２２は、Ｙ軸方向の一方向側に隣接する組電池２０ｂの第１電極端子２２１と接続部材３５の第１接続片３５１及び第２接続片３５２を介して接続されている。すなわち、組電池２０は、接続部材３５を介して隣接組電池２０ｂと電気的に直列に接続されている。
【００４３】
また、組電池２０の第１電極端子２２１は、Ｙ軸方向の他方向側に隣接する組電池２０ｃの第２電極端子２１２と連結部材３２を介して接続されている。すなわち、組電池２０は、連結部材３２を介して隣接組電池２０ｃと電気的に直列に接続されている。
このような構造を用いることにより、２並列３直列の蓄電装置１０を実現することが可能である。また、本変形例の構造を利用することにより、任意の個数の蓄電素子が並列接続された複数の組電池を容易に直列接続させることが可能である。
【００４４】
なお、本変形例の蓄電装置１０でも、第１変形例と同様に、接続部材３３〜３５のそれぞれが図１２に示されるように一つの部材により構成されていてもよい。
【００４５】
＜第２実施形態＞
次に、蓄電装置１０の第２実施形態について説明する。以下、第１実施形態との相違点を中心に説明する。
図１３及び図１４に示されるように、本実施形態の組電池２０を構成する第１蓄電素子２１０は、Ｚ軸方向の一側面に第１電極端子２１１を有し、Ｚ軸方向の他側面に第２電極端子２１２を有している。第２蓄電素子２２０は、Ｚ軸方向の一側面に第２電極端子２２２を有し、Ｚ軸方向の他側面に第１電極端子２１１を有している。組電池２０では、第１蓄電素子２１０の第１電極端子２１１と第２蓄電素子２２０の第２電極端子２２２とが対向し、且つ第１蓄電素子２１０の第２電極端子２１２と第２蓄電素子２２０の第１電極端子２２１とが対向するように第１蓄電素子２１０及び第２蓄電素子２２０が配置されている。
【００４６】
図１４に示されるように、接続部品３０の接続部材３１は、第１蓄電素子２１０の第１電極端子２１１と第２蓄電素子２２０の第２電極端子２２２との間に配置された略直方体状の導電性部材からなる。接続部材３１は、第１蓄電素子２１０の第１電極端子２１１及び第２蓄電素子２２０の第２電極端子２２２に接合されている。第１蓄電素子２１０の第１電極端子２１１と接続部材３１とを接合する方法、及び第２蓄電素子２２０の第２電極端子２２２と接続部材３１とを接合する方法としては、例えば超音波接合を用いることができる。この接続部材３１を介して第１蓄電素子２１０の第１電極端子２１１と第２蓄電素子２２０の第２電極端子２２２とが電気的に接続されることにより、第１蓄電素子２１０と第２蓄電素子２２０とが直列に接続されている。
【００４７】
本実施形態の蓄電装置１０では、接続部材３１が配置されている部分が、第１蓄電素子２１０の第１電極端子２１１と第２蓄電素子２２０の第２電極端子２２２との接合部分である第１接合部Ｐ１に相当する。図１３に示されるように、複数の第１接合部Ｐ１は、Ｙ軸方向に延びる同一直線ｍ２上に位置している。
【００４８】
図１３に示されるように、連結部材３２は、第１連結片３２１と、第２連結片３２２とにより構成されている。第１連結片３２１は、所定の組電池２０の第１蓄電素子２１０の第２電極端子２１２に接合されている。第２連結片３２２は、所定の組電池２０と隣り合う隣接組電池２０ｂの第２蓄電素子２２０の第１電極端子２２１に接合されている。所定の組電池２０の第１蓄電素子２１０の第２電極端子２１２と第１連結片３２１とを接合する方法、及び隣接組電池２０ｂの第２蓄電素子２２０の第１電極端子２２１と第２連結片３２２とを接合する方法としては、例えば超音波接合を用いることができる。
【００４９】
図１５に示されるように、第１連結片３２１の側面には、接合部３２１ｂが突出するように形成されている。同様に、第２連結片３２２の側面にも、接合部３２２ｂが突出するように形成されている。図１３に示されるように、複数の連結部材３２のそれぞれの接合部３２１ｂ，３２２ｂの位置はＸ軸方向にずれている。
【００５０】
図１３及び図１４に示されるように、連結部材３２では、第１連結片３２１の接合部３２１ｂと第２連結片３２２の接合部３２２ｂとがスポット溶接により接合されている。これにより、所定の組電池２０の第１蓄電素子２１０の第２電極端子２１２と隣接組電池２０ｂの第２蓄電素子２２０の第１電極端子２２１とが電気的に接続されている。このような連結部材３２が複数設けられることにより、複数の組電池２０が電気的に直列に接続されている。
【００５１】
図１３に示されるように、本実施形態の蓄電装置１０では、接合部３２１ｂ，３２２ｂの接合部分が、所定の組電池２０の第１蓄電素子２１０の第２電極端子２１２と隣接組電池２０ｂの第２蓄電素子２２０の第１電極端子２２１とが接合される第２接合部Ｐ２に相当する。複数の組電池２０のそれぞれの第２接合部Ｐ２はＸ軸方向にずれて配置されている。
【００５２】
以上説明した本実施形態の蓄電装置１０によれば、上記の（１）〜（７）に示される作用及び効果に加え、以下の（９）に示される作用及び効果を得ることができる。
（９）連結部材３２及び接続部材３１は、組電池２０の異なる側面に配置されている。第１接合部Ｐ１及び第２接合部Ｐ２は、組電池２０の異なる側面にそれぞれ配置されている。このような構成は、第１電極端子２１１，２２１及び第２電極端子２１２，２２２を異なる側面に有する複数の蓄電素子２１０，２２０を直列に接続する際に有効である。
【００５３】
＜他の実施形態＞
なお、各実施形態は、以下の形態にて実施することもできる。
・蓄電装置１０を構成する組電池２０の数は任意に変更可能である。
【００５４】
・第１実施形態の蓄電装置１０では、第１接続片３１１に対応する形状を第１蓄電素子２１０の第１電極端子２１１が有するように、第１電極端子２１１の形状を変更してもよい。同様に、第２接続片３１２に対応する形状を第２蓄電素子２２０の第２電極端子２２２が有していてもよい。さらに、第１連結片３２１に対応する形状を第１蓄電素子２１０の第２電極端子２１２が有するとともに、第２連結片３２２に対応する形状を第２蓄電素子２２０の第１電極端子２２１が有していてもよい。このような構造によれば、接続部品３０が不要となるため、部品点数を削減することが可能となる。同様に、第２実施形態の蓄電装置１０でも、接続部品３０の各要素に対応する形状を第１蓄電素子２１０の電極端子２１１，２１２及び第２蓄電素子２２０の電極端子２２１，２２２が有していてもよい。
【００５５】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００５６】
Ｐ：接合部
１０：蓄電装置
２０：組電池
２０ｂ，２０ｃ：隣接組電池
３１，３３，３４：接続部材
３２：連結部材
２１０：第１蓄電素子
２１１，２２１：第１電極端子
２１２，２２２：第２電極端子
２２０：第２蓄電素子
【図１】
2019192342.tif 000003
【図２】
2019192342.tif 000004
【図３】
2019192342.tif 000005
【図４】
2019192342.tif 000006
【図５】
2019192342.tif 000007
【図６】
2019192342.tif 000008
【図７】
2019192342.tif 000009
【図８】
2019192342.tif 000010
【図９】
2019192342.tif 000011
【図１０】
2019192342.tif 000012
【図１１】
2019192342.tif 000013
【図１２】
2019192342.tif 000014
【図１３】
2019192342.tif 000015
【図１４】
2019192342.tif 000016
【図１５】
2019192342.tif 000017